(57)【特許請求の範囲】
【請求項１】
１つのシンボル期間が有効シンボル区間とガードインターバル区間とからなるＯＦＤＭ変調された信号を受信する複数のアンテナを備えたダイバーシティ受信機であって、
複数のアンテナからの受信信号をそれぞれ減衰させる可変減衰手段と、
可変減衰手段からの出力を合成し、合成出力を復調して出力する復調手段と、
復調手段にて得たベースバンド信号のガードインターバル区間に対応した期間の相関を検出すると共に引き続いて発生するガード相関出力の発生タイミングから求めたガードインターバルの間隔が伝送モードに基づく値になったときロック検出信号を出力する相関検出手段と、
受信信号レベルを検出する受信信号レベル検出手段と、
初期状態のとき受信信号レベル検出手段からの検出出力に基づき受信信号レベルの高いアンテナを選択し、選択されたアンテナに対応する可変減衰手段の減衰量を最小の減衰量に制御し、選択されなかったアンテナに対応する可変減衰手段の減衰量を最大の減衰量に制御し、ロック検出信号が供給されたときからガードインターバル区間に対応した期間における相関出力のピークレベルが増加したか否かに基づいて、ガードインターバル区間に対応する期間に、前記選択されなかったアンテナに対応する可変減衰手段の減衰量を変更する減衰量制御手段と、
を備えたことを特徴とするダイバーシティ受信機。
【請求項２】
請求項１記載のダイバーシティ受信機において、受信信号レベルの高いアンテナの選択は、初期状態のときから各アンテナに対応する可変減衰手段の減衰量を順次最小の減衰量に制御したときにおける受信信号レベル検出手段の検出レベルに基づき行うことを特徴とするダイバーシティ受信機。
【発明の詳細な説明】
【０００１】
【発明の属する技術分野】
本発明は直交周波数分割多重方式により変調（ＯＦＤＭ変調）された放送信号を受信するダイバーシティ受信機に関する。
【０００２】
【従来の技術】
ＯＦＤＭ変調された放送信号の１ＯＦＤＭ伝送シンボル期間は、有効シンボル区間とガードインターバルと呼ばれる区間とからなる。有効シンボル区間はデータ伝送のために必要な信号期間である。ガードインターバルはマルチパスなどのシンボル間干渉を防ぐためのものであり、有効シンボル区間の最後の所定期間長部分を有効シンボル区間の先頭に巡回的に複写されたものである。
【０００３】
デジタル地上波テレビジョン放送信号など、ＯＦＤＭ変調された放送信号を受信するダイバーシティ受信機が知られている。従来のこの種のダイバーシティ受信機は、この出願人により提案されているものがある（特願２００２−０２３６７８）。
【０００４】
このダイバーシティ受信機は、複数のアンテナによる受信信号をそれぞれ可変減衰器で減衰し、減衰出力を合成し、合成出力をベースバンド信号に復調するダイバーシティ受信機において、ガード相関（単に相関とも記す）を検出し、相関出力のレベルに基づきガードインターバル区間に対応した期間に可変減衰器中における１つの可変減衰器の減衰量を切り替え、減衰量の切り替えによって受信信号レベルが上昇したときは、以降、ガードインターバル区間に対応した期間に合わせたタイミングにて、前記１つの可変減衰器の減衰量を階段的に変化させるものである。
【０００５】
かかるダイバーシティ受信機Ｂは図３に示すように構成される。ダイバーシティ受信機Ｂでは、アンテナ１、２、３、４で受信したＲＦ信号はそれぞれ低雑音増幅器５、６、７、８にて増幅のうえ、それぞれ可変減衰器９、１０、１１、１２にて減衰のうえ混合器１３に入力して合成し、混合器１３の出力をチューナ１４に供給する。
【０００６】
混合器１３から出力される合成出力を受けたチューナ１４では、合成出力を増幅、周波数変換、さらに帯域制限を行って中間周波信号に変換する。チューナ１４からの出力される中間周波信号はＡＤ変換器１５に供給してデジタル信号に変換し、変換されたデジタル信号は直交検波器１６に供給して直交検波することで、ベースバンドＩ、Ｑ信号に変換する。
【０００７】
直交検波器１６から出力されるベースバンドＩ、Ｑ信号は有効シンボル抽出回路１７に供給し、タイミング再生回路２１から出力される有効シンボル区間を示すタイミング信号（ＦＦＴ−ＷＩＮＤＯＷ）に基づき、有効シンボル抽出回路１７において有効シンボルに対応した期間の信号のみをベースバンドＩ、Ｑ信号から取り込み、有効シンボル区間に対応した期間の信号をＦＦＴ回路１８に供給し、ＦＦＴ回路１８にてＦＦＴ処理を行ってＯＦＤＭ変調信号の復調を行いキャリア毎の情報に分離し、デマッパ回路１９に供給してデマッピングすることによって復調データとして送出する。
【０００８】
一方、直交検波器１６から出力されたベースバンドＩ、Ｑ信号はガード相関器２０に供給し、ガード相関器２０の入力ベースバンドＩ、Ｑ信号と該ベースバンドＩ、Ｑ信号を有効シンボル期間の時間幅遅延させた遅延ベースバンドＩ、Ｑ信号との積をガードインターバル期間の時間幅にわたって積分し、該積分をＡ／Ｄ変換器１５におけるＡ／Ｄ変換のためのサンプル周期ずつ順次ずらせて行うことによって、その積分値から相関出力を求め、相関出力をタイミング再生回路２１に供給して相関出力のピーク位置からＯＦＤＭシンボルのタイミングを求め、タイミング信号（ＦＦＴ−ＷＩＮＤＯＷ）を有効シンボル抽出回路１７へ送出する。
【０００９】
ダイバーシティ受信機Ｂはダイバーシティ制御回路２５を備え、ガード相関器２０から出力される相関出力ＣＯＲＲおよびタイミング信号（ＦＦＴ−ＷＩＮＤＯＷ）はダイバーシティ制御回路２５に供給し、相関出力ＣＯＲＲおよびタイミング信号（ＦＦＴ−ＷＩＮＤＯＷ）に基づきダイバーシティ制御回路２５から可変減衰器９、１０、１１、１２の減衰量を制御する減衰量制御信号ＣＯＮＴ１、ＣＯＮＴ２、ＣＯＮＴ３、ＣＯＮＴ４をそれぞれ可変減衰器９、１０、１１、１２へ送出して、混合器１３の出力レベル、すなわち合成された受信信号レベルが高くなるように可変減衰器９、１０、１１、１２の減衰量を制御する。
【００１０】
ダイバーシティ制御回路２５の動作を、減衰量制御信号ＣＯＮＴ１を例に図４、図５に示すタイミング図によって説明する。
【００１１】
ここで、ダイバーシティ受信機Ｂでは、タイミング信号（ＦＦＴ−ＷＩＮＤＯＷ）は高電位のとき有効シンボル区間に対応する期間を示し、低電位のときガードインターバル区間に対応する期間を示している。減衰量制御信号ＣＯＮＴ１は可変減衰器９の減衰量を制御する信号であり、減衰量制御信号ＣＯＮＴ１のレベルが最大の場合に減衰量が０に制御され、減衰量制御信号ＣＯＮＴ１のレベルが最小の場合に減衰量が最大になる。減衰量制御信号ＣＯＮＴ２、３、４の場合も、減衰量制御信号ＣＯＮＴ１の場合と同様である。
【００１２】
ダイバーシティ制御回路２５では、受信条件が良くなるか否かの判断は相関出力ＣＯＲＲを用いる。ダイバーシティ制御回路２５ではタイミング信号（ＦＦＴ−ＷＩＮＤＯＷ）が低電位の期間に、すなわちガードインターバルの区間に対応した期間に可変減衰器９、１０、１１、１２の減衰量を変化させる。
【００１３】
図４では、混合器１３の入力がなくならないようにするために、可変減衰器１０、１１、１２の中で、少なくとも１つ以上の減衰量を０とし、初期状態として、減衰量制御信号ＣＯＮＴ１のレベルが最小、すなわち可変減衰器９の減衰量が最大となっている。ここで、アンテナ１で受信している信号を評価するために、タイミング信号（ＦＦＴ−ＷＩＮＤＯＷ）が低電位になる区間（図４（ａ）参照）で減衰量制御信号ＣＯＮＴ１のレベルを最大にし（図４（ｂ）参照）、可変減衰器９の減衰量を０にする。
【００１４】
これによって、アンテナ１で受信した信号も混合器１３による合成のうえチューナ１４に入力され、このときにおいて、図４では、相関出力ＣＯＲＲのピークレベルが以前の相関出力ＣＯＲＲのピークレベルよりも上がった場合を示している（図４（ｃ）参照）。この場合では、アンテナ１で受信している信号を含めて混合器１３で合成すれば混合器１３の出力のレベルは増大し、受信条件が良くなると判定されるが、復調される信号の急激な変化を避けるために、続いてタイミング信号（ＦＦＴ−ＷＩＮＤＯＷ）が高電位になるタイミングで一旦減衰量制御信号ＣＯＮＴ１のレベルを最小に戻し、図４において矢印で示すように、それ以降、タイミング信号（ＦＦＴ−ＷＩＮＤＯＷ）が低電位の区間で減衰量制御信号ＣＯＮＴ１のレベルを、最大になるまで階段的に順次増大させる。
【００１５】
受信機の初期状態は図４の場合と同様であるが、図４（ｂ）と同様にタイミング信号（ＦＦＴ−ＷＩＮＤＯＷ）が低電位になる区間で、減衰量制御信号ＣＯＮＴ１のレベルを最大にし、可変減衰器９の減衰量を０にしたことにより相関出力ＣＯＲＲのレベルが下がった場合では、アンテナ１で受信している信号を混合器１３において合成したことによって混合器１３の出力信号レベルが低下し、相関出力ＣＯＲＲのピークレベルが低下したと考えられて、受信条件が悪くなったと判定されるので、続いてタイミング信号（ＦＦＴ−ＷＩＮＤＯＷ）が高電位になるタイミングで減衰量制御信号ＣＯＮＴ１のレベル情報を最小に戻す。
【００１６】
上記図４に示した場合のように、可変減衰器９の減衰量が最大となっている状態におけるガードインターバル区間に対応した期間において可変減衰器９の減衰量を０にしたとき、次のガードインターバル区間に対応した期間における相関出力ＣＯＲＲのピークレベルがその前のガードインターバル区間に対応した期間における相関出力のピークレベルよりも増加しているときは、前記次のガードインターバル区間に対応した期間に続くガードインターバル区間に対応した期間に可変減衰器９の減衰量を最大にし、すなわち元に復元し、続くガードインターバル区間に対応した期間において順次可変減衰器９の減衰量を０にまで階段的に減少させていく。これによって安定して受信可能な減衰量に設定することができることになる。
【００１７】
また、上記したように可変減衰器９の減衰量が最大となっている状態におけるガードインターバル区間に対応した期間において可変減衰器９の減衰量を０にしたとき、次のガードインターバル期間に相関出力ＣＯＲＲのピークレベルがその前のガードインターバル区間に対応した期間における相関出力のピークレベルよりも減少しているときは、可変減衰器９の減衰量を０にしたときに続くガードインターバル区間に対応した期間から可変減衰器９の減衰量を最大にする、すなわち元に復元する。これによって安定して受信可能な減衰量に設定することができることになる。
【００１８】
図５の場合でも可変減衰器１０、１１、１２の中で、少なくとも１つ以上は減衰量が０となっており、初期状態では減衰量制御信号ＣＯＮＴ１のレベルが最大、すなわち可変減衰器９の減衰量が０となっている。ここで、アンテナ１で受信している信号を評価するために、タイミング信号（ＦＦＴ−ＷＩＮＤＯＷ）が低電位になる区間（図５（ａ）参照）で減衰量制御信号ＣＯＮＴ１のレベルを最小にし（図５（ｂ）参照）、可変減衰器９の減衰量を最大にする。
【００１９】
これによって、アンテナ１で受信した信号が減衰されて混合器１３で合成されてチューナ１４に入力されることになる。その結果、図５では、相関出力ＣＯＲＲのピークレベルが上がった場合を示している（図５（ｃ）参照）。この場合は、アンテナ１で受信している信号を減衰させれば相関出力ＣＯＲＲのレベルが上がり、受信条件が良くなると判定され、続いてタイミング信号（ＦＦＴ−ＷＩＮＤＯＷ）が高電位になるタイミングで一旦減衰量制御信号ＣＯＮＴ１のレベルを最大に戻し（図５（ｂ）参照）、図５において矢印で示すようにそれ以降、タイミング信号（ＦＦＴ−ＷＩＮＤＯＷ）が低電位の区間で減衰量制御信号ＣＯＮＴ１のレベルが最小になるまで順次階段的に変化させる（図５（ｂ）参照）。
【００２０】
受信機の初期状態は図５の場合と同様であるが、図５（ｂ）と同様にタイミング信号（ＦＦＴ−ＷＩＮＤＯＷ）が低電位になる区間で、減衰量制御信号ＣＯＮＴ１のレベルを最小にし、可変減衰器９の減衰量を最大にしたことにより相関出力ＣＯＲＲのレベルが下がった場合では、アンテナ１で受信している信号を混合器１３において合成したことによって混合器１３の出力信号のレベルが減少し、相関出力ＣＯＲＲのピークレベルが低下したと考えられて、受信条件が悪くなったと判定されるので、タイミング信号（ＦＦＴ−ＷＩＮＤＯＷ）が高電位になるタイミングで減衰量制御信号ＣＯＮＴ１のレベルを最大に戻す。
【００２１】
上記図５に示した場合のように、可変減衰器９の減衰量が０となっている状態におけるガードインターバル区間に対応した期間において可変減衰器９の減衰量を最大にしたとき、次のガードインターバル期間に相関出力ＣＯＲＲのピークレベルがその前のガードインターバル区間に対応した期間における相関出力のピークレベルよりも増加しているときは、前記次のガードインターバル区間に対応する期間に続くガードインターバル区間に対応した期間に可変減衰器９の減衰量を０にし、すなわち元に復元し、続くガードインターバル区間に対応した期間において順次可変減衰器９の減衰量を最大にまで階段的に増大させていく。これによって安定して受信可能な減衰量に設定することができることになる。
【００２２】
また、上記のように、可変減衰器９の減衰量が０となっている状態におけるガードインターバル区間に対応した期間において可変減衰器９の減衰量を最大にしたとき、次のガードインターバル区間に対応した期間における相関出力ＣＯＲＲのピークレベルがその前のガードインターバル区間に対応した期間における相関出力のピークレベルよりも減少しているときは、可変減衰器９の減衰量を最大にしたときに続くガードインターバル区間に対応した期間から可変減衰器９の減衰量を０にする、すなわち元に復元する。これによって安定して受信可能な減衰量に設定することができることになる。
【００２３】
このようにして、１以上の可変減衰器の減衰量を０に維持した状態で、可変減衰器９、１０、１１、１２の減衰量を順次制御して、チューナ１４に入力される信号レベルを最大に保つように制御する。この結果、安定したダイバーシティ受信が行える。
【００２４】
【発明が解決しようとする課題】
しかし、上記したように可変減衰器の減衰量をＯＦＤＭシンボル毎に制御して常に受信レベルを高く保つように制御しようとしても、電源投入直後等の受信状況が不確かな状態において選択されるアンテナが予め定められていて、この予め定められたアンテナからの出力を選択して可変減衰器の減衰量が制御されることになる。しかしながら、そのアンテナが殆ど電波をとらえていないアンテナであった場合、ダイバーシティ動作が効果を発揮しないという問題点があった。
【００２５】
本発明は、電源投入などの初期状態時におけるアンテナ選択の信頼性を向上させて、安定、かつ十分な効果を奏するダイバーシティ受信機を提供することを目的とする。
【００２６】
【課題を解決するための手段】
本発明のダイバーシティ受信機は、１つのシンボル期間が有効シンボル区間とガードインターバル区間とからなるＯＦＤＭ変調された信号を受信する複数のアンテナを備えたダイバーシティ受信機であって、
複数のアンテナからの受信信号をそれぞれ減衰させる可変減衰手段と、
可変減衰手段からの出力を合成し、合成出力を復調して出力する復調手段と、復調手段にて得たベースバンド信号のガードインターバル区間に対応した期間の相関を検出すると共に引き続いて発生するガード相関出力の発生タイミングから求めたガードインターバルの間隔が伝送モードに基づく値になったときロック検出信号を出力する相関検出手段と、
受信信号レベルを検出する受信信号レベル検出手段と、
初期状態のとき受信信号レベル検出手段からの検出出力に基づき受信信号レベルの高いアンテナを選択し、選択されたアンテナに対応する可変減衰手段の減衰量を最小の減衰量に制御し、選択されなかったアンテナに対応する可変減衰手段の減衰量を最大の減衰量に制御し、ロック検出信号が供給されたときからガードインターバル区間に対応した期間における相関出力のピークレベルが増加したか否かに基づいて、ガードインターバル区間に対応する期間に、前記選択されなかったアンテナに対応する可変減衰手段の減衰量を変更する減衰量制御手段と、
を備えたことを特徴とする。
【００２７】
本発明のダイバーシティ受信機によれば、初期状態のとき受信信号レベル検出手段からの検出出力に基づいて受信信号レベルの高いアンテナが選択され、選択されたアンテナに対応する可変減衰手段の減衰量が最小の減衰量に制御され、選択されなかったアンテナに対応する可変減衰手段の減衰量が最大の減衰量に制御される。したがって、電波をとらえていないアンテナが従来の如く予め定めたアンテナとして選択されるようなことはない。このために、ダイバーシティ動作が効果を発揮しないというようなことはなくなる。また、選択されたアンテナの出力を減衰させずに送出するため、ロック検出信号が素早く送出されることになり、復調が早期に行われる。
【００２８】
また、本発明のダイバーシティ受信機によれば、次いで、ロック検出信号が供給されたときからガードインターバル区間に対応した期間における相関出力のピークレベルが増加したか否かに基づいて、ガードインターバル区間に対応する期間に、前記選択されなかったアンテナに対応する可変減衰手段の減衰量が減衰量制御手段によって変更制御される。しかるに、この減衰量の更新制御はシンボル期間単位で行われる。更新制御が行われるのはロック検出信号が入力されている状態のためにシンボル期間長は確定しており、選択されたアンテナに対応する可変減衰手段の減衰量が最小の減衰量に制御され、かつ選択されていないアンテナからの出力の減衰量の変更がガードインターバル区間で行われるために、ダイバーシティ動作が速やかに働いて、ダイバーシティ効果を十分に発揮させることができる。
【００２９】
【発明の実施の形態】
以下、本発明にかかるダイバーシティ受信機を実施の一形態によって説明する。
【００３０】
図１は本発明の実施の一形態にかかるダイバーシティ受信機の構成を示すブロック図であり、図３に示すダイバーシティ受信機Ｂと重複した説明を避けるために、本発明の実施の一形態にかかるダイバーシティ受信機Ａにおいて、ダイバーシティ受信機Ｂと同一構成要素には同一の符号を付して示し、その説明は省略する。
【００３１】
ダイバーシティ受信機Ａは、アンテナ１、２、３、４、低雑音増幅器５、６、７、８、可変減衰器９、１０、１１、１２、混合器１３、チューナ１４、ＡＤ変換器１５、直交検波器１６、有効シンボル抽出回路１７、ＦＦＴ回路１８、デマッパ１９、ガード相関器２０、タイミング再生回路２１を備え、これらはダイバーシティ受信機Ｂの場合と同様に作用する。
【００３２】
さらにまた、ダイバーシティ受信機Ａでは、ダイバーシティ制御回路２５に代わり、ダイバーシティ制御回路２２を備えている。チューナ１４から検出した受信信号レベル情報、ガード相関器２０から出力されるロック検出信号および相関出力ＣＯＲＲ、タイミング再生回路２１から出力されるタイミング信号（ＦＦＴ−ＷＩＮＤＯＷ）をダイバーシティ制御回路２２に供給し、電源投入時などの初期状態のときに受信信号レベル情報に基づき一番受信レベルの高いアンテナを検索し、検索されたアンテナ出力の減衰量を最小に維持し、ロック検出信号が出力されたときから、相関出力ＣＯＲＲおよびタイミング信号（ＦＦＴ−ＷＩＮＤＯＷ）に基づき前記選択されたアンテナ以外のアンテナからの出力の減衰量を変更制御して混合器１３の出力レベル、すなわち合成された受信信号レベルが高くなるようにするアンテナダイバーシティ動作を行わせる。
【００３３】
ここで、受信信号レベル情報には、例えば、チューナ１４におけるＡＧＣ電圧が利用できる。また、引き続いて発生するガード相関出力の発生タイミングからガードインターバルの間隔を求め、該間隔が伝送モード（ＩＳＤＢ−Ｔの場合はモード１、２、３の伝送モード、ＤＶＢ−Ｔの場合は２ｋモード、８ｋモードの伝送モード）に基づく値になったときロック検出信号がガード相関器２０から出力される。
【００３４】
次に、ダイバーシティ制御回路２２の動作を図２に示すタイミング図によって説明する。
【００３５】
電源投入直後から可変減衰器９〜１２の減衰量を順次最小にして行き、そのときの受信信号レベル情報をダイバーシティ制御回路２２にてチェックする。図２（ａ）は可変減衰器９の減衰量を、図２（ｂ）は可変減衰器１０の減衰量を、図２（ｃ）は可変減衰器１１の減衰量を、図２（ｄ）は可変減衰器１２の減衰量をそれぞれ示している。図２（ｅ）は受信信号レベル情報を示している。なお、図２においては、可変減衰器９〜１２の減衰量制御信号ＣＯＮＴ１〜ＣＯＮＴ４に代わって、変減衰器９〜１２の減衰量で示してある。
【００３６】
図２において、可変減衰器９〜可変減衰器１２の減衰量を順次最小にして行ったときに、例えば、可変減衰器１０の減衰量を最小にした期間αにおいて、可変減衰器９、１１、１２の減衰量を最小にしたときよりも受信信号レベル情報が高レベルを示している。したがって、可変減衰器９〜可変減衰器１２の減衰量を順次最小にすることが終了した時点βにおいて、可変減衰器１０の減衰量を最小に維持し、可変減衰器９、１１および１２の減衰量を最大に維持することによってアンテナ２からの受信信号を実質的に選択する。
【００３７】
この状態において、ロック検出信号が入力されるのを待ち、図２においてロック検出信号がダイバーシティ制御回路２２に入力された時点γから、図４および図５にて例示した如く、相関出力ＣＯＲＲおよびタイミング信号（ＦＦＴ−ＷＩＮＤＯＷ）に基づく減衰量の変更制御を行う。
【００３８】
時点γ、すなわちロック検出信号が発生した時点から実質的に正常な復調が行われることになり、相関出力ＣＯＲＲおよびタイミング信号（ＦＦＴ−ＷＩＮＤＯＷ）に基づき、可変減衰器１０以外の可変減衰器の減衰量の変更制御が行われる。図２において、相関出力ＣＯＲＲおよびタイミング信号（ＦＦＴ−ＷＩＮＤＯＷ）に基づいて可変減衰器９の減衰量の制御が行われる場合を示し、この減衰量が変更制御される期間をδで示している。
【００３９】
しかるに、ロック検出信号が出力されていないときは、タイミング信号（ＦＦＴ−ＷＩＮＤＯＷ）の高電位期間は有効シンボル期間とならず、復調が正常に行われていないときである。ロック検出信号が出力されているときは、タイミング信号（ＦＦＴ−ＷＩＮＤＯＷ）の高電位期間は有効シンボル期間となり、復調が正常に行われているときである。
【００４０】
上記したように、相関出力ＣＯＲＲおよびタイミング信号（ＦＦＴ−ＷＩＮＤＯＷ）に基づく可変減衰器の減衰量の変更はシンボル期間単位で行われるため、シンボル期間長が確定していないとき、すなわちロック検出信号が出力されていないときには可変減衰器の減衰量を変更する制御が行えず、ダイバーシティ効果を発揮できない。
【００４１】
しかし、ダイバーシティ受信機Ａにおいては、初期状態のときに予め定めたアンテナを選択するのではなく、受信信号レベルが最大となるアンテナを実質的に選択してその出力を減衰させずに送出するため、ロック検出信号が素早く送出されることになり、復調が早期に行われ、ロック検出信号が出力されたときから選択されていないアンテナからの出力を可変減衰器によってその減衰量の変更が行われるために、ダイバーシティ動作が速やかに働かされて、ダイバーシティ効果を十分に発揮させることができる。
【００４２】
また、上記した例においては、ダイバーシティ受信機Ａでは、電源投入直後からアンテナを選択する例を示したが、電源投入直後に加えるに、受信チャンネルの切り換え直後からや、ロック検出信号が消滅した直後からも、アンテナ選択を行うようにしてもよい。
【００４３】
さらにまた、ダイバーシティ受信機Ａにおいて、可変減衰器９〜可変減衰器１２の減衰量を順次最小にして行き、そのときの受信信号レベル情報をチェックすることによって１つのアンテナを実質的に選択する場合を例示したが、複数のアンテナ、例えば２つのアンテナを実質的に選択するようにしてもよい。この場合は、２つの可変減衰器の組み合わせについて減衰量を最小にすることによって、受信レベル情報が最大となる組み合わせを求めればよい。
【００４４】
また、ダイバーシティ受信機Ａにおいて、受信信号レベル情報としてチューナ１４のＡＧＣ電圧を利用したが、ＡＤ変換器１５の出力信号の振幅や、復調器内での信号の振幅を利用してもよい。
【００４５】
【発明の効果】
以上説明したように本発明にかかるダイバーシティ受信機によれば、アンテナの実質的な選択の信頼性が向して、安定したダイバーシティ受信をすることができる。
【図面の簡単な説明】
【図１】本発明の実施の一形態にかかるダイバーシティ受信機の構成を示すブロック図である。
【図２】本発明の実施の一形態にかかるダイバーシティ受信機の作用の説明に供するタイミング図である。
【図３】提案されているダイバーシティ受信機の構成を示すブロック図である。
【図４】図３に示したダイバーシティ受信機の作用の説明に供するタイミング図である。
【図５】図３に示したダイバーシティ受信機の作用の説明に供するタイミング図である。
【符号の説明】
９〜１２  可変減衰器
１３  混合器
１４  チューナ
１５  ＡＤ変換器
１６  直交検波器
１７  有効シンボル抽出回路
１８  ＦＦＴ回路
２０  ガード相関器
２１  タイミング再生回路
２２  ダイバーシティ制御回路
【図１】
0003776825.tif 000002
【図２】
0003776825.tif 000003
【図３】
0003776825.tif 000004
【図４】
0003776825.tif 000005
【図５】
0003776825.tif 000006